(57)【要約】      （修正有）【課題】極力小さな杠上手段でマンホール蓋枠およびその周辺の路面を一体の塊として摺動させ乍ら杠上しやすい状態に移動させるための除去リフターならびに除去リフト工法。【解決手段】円弧状ないし曲面状カッターを用いて、マンホールの中心を中心として３６０度回転させてマンホールの周辺の路面を切断して、平面円形で立体球面状の切断面を有する環状の除去物を杠上し、取除くためのリフターであって、棒杆状本体１の長手方向に沿って溝孔２を設け、この溝孔２に移動かつ固定可能の１以上の掛止片３を配設し、この掛止片３により直接ないしは補助掛片を介して、マンホール内部の必要箇所を掛止すると共に、前記棒杆状本体１の端部に杠上用の掛止部１２を設け、路面との間に杠上手段を介在配置させて成ることを特徴とするマンホールの路面切断除去物の除去リフターならびに除去リフト工法。【選択図】図１
2010144509.tif 000002
【特許請求の範囲】
【請求項１】
円弧状ないし曲面状カッターを用いて、マンホールの中心を中心として３６０度回転させてマンホールの周辺の路面を切断して、平面円形で立体球面状の切断面を有する環状の除去物を杠上し、取除くためのリフターであって、棒杆状本体の長手方向に沿って溝孔を設け、この溝孔に移動かつ固定可能の１以上の掛止片を配設し、この掛止片により直接ないしは補助掛片を介して、マンホール内部の必要箇所を掛止すると共に、前記棒杆状本体の端部に杠上用の掛止部を設け、路面との間に杠上手段を介在配置させて成ることを特徴とするマンホールの路面切断除去物の除去リフター。
【請求項２】
請求項１記載のマンホールの路面切断除去物の除去リフターにおいて、掛止片は、相対向する左右のマンホール内部の必要箇所を掛止する一対の伸長爪を備えた補助掛止片と、着脱自在に装着できるようにして成ることを特徴とするマンホールの路面切断除去物の除去リフター。
【請求項３】
請求項１または２記載のマンホールの路面切断除去物の除去リフターにおいて、棒杆状本体には移送用の滑車を設けて成ることを特徴とするマンホールの路面切断除去物の除去リフター。
【請求項４】
請求項１ないし３いずれか記載のマンホールの路面切断除去物の除去リフターにおいて、棒杆状本体の両端には止環を設け、吊下ロープを掛止させることができるようにして成ることを特徴とするマンホールの路面切断除去物の除去リフター。
【請求項５】
円弧状ないし曲面状カッターを用いて、マンホールを中心として３６０度回転させてマンホールの周辺の路面を切断して、平面円形で立体球面状の切断面を有する環状の除去物を杠上し、取除くためのリフターであって、補助掛片を、摺動する内外二重の垂直方向への対荷重用のパイプと、このパイプの内側にマンホール内部の必要箇所を掛止する伸長爪を伸縮可変調節する水平方向へのシリンダー、ピストンロッドを内設して構成し、前記二重のパイプの上部に一対の引掛孔を設け、吊りボルトの下端を係止させて引き上げ手段を介して直接杠上させるか、棒杆状本体を介して間接に杠上させて成ることを特徴とするマンホールの路面切断除去物の除去リフター。
【請求項６】
円弧状ないし曲面状カッターを用いて、マンホールの中心を中心として３６０度回転させてマンホールの周辺の路面を切断して、平面円形で立体球面状の切断面を有する環状の除去物の表面に、棒杆状本体を載置し、該棒杆状本体より垂下した掛止片の下端を直接又は他の部材を介して、前記環状の除去物の切断面に近い箇所と掛止させて、棒杆状本体の端部に突設した掛止突起と路面との間に杠上手段を介在させ、該杠上手段を杠上させ乍ら非切断面を剥取して環状の除去物を吊下可能な傾斜状態にして成ることを特徴とする可傾リフト工法。
【請求項７】
円弧状ないし曲面状カッターを用いて、マンホールの中心を中心として３６０度回転させてマンホール蓋枠の周辺の路面を、平面円形で立体球面状の切断面を有する環状の除去物に切断する工程、補助掛止片をマンホール内部に臨ませて、水平方向に伸縮するシリンダーとピトンロッドによる係止箇所への伸長爪との係脱工程、前記シリンダーとピトンロッドを保護し、垂直方向への耐荷重力を備えた伸縮摺動自在の内外二重のパイプによる杠上手段による杠上工程とにより成ることを特徴とする除去リフト工法。
【発明の詳細な説明】
【技術分野】
【０００１】
本発明は、マンホール蓋取替施工に用いられるマンホールの路面切断除去物の除去リフターおよび可傾リフト工法ならびに除去リフト工法に関する。
【背景技術】
【０００２】
一般に、マンホール蓋及びマンホール蓋枠を取替交換する場合とかアスファルトなどの舗装面を補修する際のマンホール蓋及びマンホール蓋枠を取替交換する場合には、マンホール蓋枠とその周辺の舗装面の一部を一体化した状態で、一つの塊として除去することが行われている。
【０００３】
円筒状カッターを用いる場合は、路面で切断面は円筒形であるため、これを取除くためには、垂直方向に持ち上げなければならず、多くの場合、アンカーボルトや止片を周辺に打ち込み、このボルトや止片を強力な杠上機械を用いて杠上していた（例えば、特許文献１参照。）。
【０００４】
これに対し、最近では円弧状ないし曲面状カッターを用いている場合には、杠上手段が上方の好みの方向で良く、円弧状ないしは曲面状カッターによってマンホール下部の下桝躯体近くまで切断処理されているので、単に円弧状（ドーナツ状）の塊体は道路との未切截箇所が少ないこともあって、多くの場合マンホール孔の一部と掛止させて引上げロープを利用し、持ち上げるようにしている（例えば、特許文献２参照。）。
【０００５】
なお、前者の円筒状の切断部を有するマンホール蓋枠と路面との一体的は全体が円筒状であるのに対し、後者の平面円形で立体球面状の謂わばドーナツ状であるので、杠上力は前者が大型の引上げ装置が必要であるの対し、後者は小型の引上げ装置で済むという利点がある。
【特許文献１】特開２０００−１４４７７３号公報
【特許文献２】特開２００４−６８５９６号公報
【発明の開示】
【発明が解決しようとする課題】
【０００６】
ところで、上述した文献１，２によれば、文献１にあっては路面下での切断が全く行われていない場合、その儘杠上手段を用いることは荷重が異常に逓増し、大型の引き上げ機械でも杠上不能となり、マンホール蓋枠とその路面部分の除去物の水平方向の切断作業を要し、したがって除去作業に必要以上の労力を要し、作業性が著しく悪いという不都合があり、また文献２にあっては除去物が円形球面状の小型となるため重量は小さくなるが、路面での非切断箇所を有するので、この非切断部分を剥離するための杠上手段は矢張り荷重以外の可成りの大きな杠上力を必要とするという問題がある。
【０００７】
本発明は叙上の点に着目して成されたもので、文献２において、剥離するための路面下の非切断面箇所をマンホール蓋枠およびその周辺の路面で構成される円形球面状の除去物を容易に移動させ簡単に剥取させて、単に廃棄するための除去物を重量だけの荷重引上げ力で遊離除去させることができるようにしたマンホールの路面切断除去物の除去リフターおよび可傾リフト工法ならびに除去リフト工法を提供することを目的とする。
【０００８】
また、この本発明は、従来知られる舗装工法，オーバーレイ工法，切削オーバーレイ工法など、マンホール蓋枠を含む平面円形で立体球面状の切断面を有する環状の除去物および施工過程に生ずるマンホール蓋枠のない状態での平面円形で、立体球面状の切断面を有する他の環状の除去物の剥取、杠上操作を容易に簡単に行えるようにしたマンホールの路面切断除去物の除去リフターおよび可傾リフト工法ならびに除去リフト工法を提供することを目的とする。
【課題を解決するための手段】
【０００９】
本発明は、以下の構成を備えることにより上記課題を解決できる。
【００１０】
（１）円弧状ないし曲面状カッターを用いて、マンホールの中心を中心として３６０度回転させてマンホールの周辺の路面を切断して、平面円形で立体球面状の切断面を有する環状の除去物を杠上し、取除くためのリフターであって、棒杆状本体の長手方向に沿って溝孔を設け、この溝孔に移動かつ固定可能の１以上の掛止片を配設し、この掛止片により直接ないしは補助掛片を介して、マンホール内部の必要箇所を掛止すると共に、前記棒杆状本体の端部に杠上用の掛止部を設け、路面との間に杠上手段を介在配置させて成ることを特徴とするマンホールの路面切断除去物の除去リフター。
【００１１】
（２）前記（１）記載のマンホールの路面切断除去物の除去リフターにおいて、掛止片は、相対向する左右のマンホール内部の必要箇所を掛止する一対の伸長爪を備えた補助掛止片と、着脱自在に装着できるようにして成ることを特徴とするマンホールの路面切断除去物の除去リフター。
【００１２】
（３）前記（１）または（２）記載のマンホールの路面切断除去物の除去リフターにおいて、棒杆状本体には移送用の滑車を設けて成ることを特徴とするマンホールの路面切断除去物の除去リフター。
【００１３】
（４）前記（１）ないし（３）いずれか記載のマンホールの路面切断除去物の除去リフターにおいて、棒杆状本体の両端には止環を設け、吊下ロープを掛止させることができるようにして成ることを特徴とするマンホールの路面切断除去物の除去リフター。
【００１４】
（５）円弧状ないし曲面状カッターを用いて、マンホールを中心として３６０度回転させてマンホールの周辺の路面を切断して、平面円形で立体球面状の切断面を有する環状の除去物を杠上し、取除くためのリフターであって、補助掛片を、摺動する内外二重の垂直方向への対荷重用のパイプと、このパイプの内側にマンホール内部の必要箇所を掛止する伸長爪を伸縮可変調節する水平方向へのシリンダー、ピストンロッドを内設して構成し、前記二重のパイプの上部に一対の引掛孔を設け、吊りボルトの下端を係止させて引き上げ手段を介して直接杠上させるか、棒杆状本体を介して間接に杠上させて成ることを特徴とするマンホールの路面切断除去物の除去リフター。
【００１５】
（６）円弧状ないし曲面状カッターを用いて、マンホールの中心を中心として３６０度回転させてマンホールの周辺の路面を切断して、平面円形で立体球面状の切断面を有する環状の除去物の表面に、棒杆状本体を載置し、該棒杆状本体より垂下した掛止片の下端を直接又は他の部材を介して、前記環状の除去物の切断面に近い箇所と掛止させて、棒杆状本体の端部に突設した掛止突起と路面との間に杠上手段を介在させ、該杠上手段を杠上させ乍ら非切断面を剥取して環状の除去物を吊下可能な傾斜状態にして成ることを特徴とする可傾リフト工法。
【００１６】
（７）円弧状ないし曲面状カッターを用いて、マンホールの中心を中心として３６０度回転させてマンホール蓋枠の周辺の路面を、平面円形で立体球面状の切断面を有する環状の除去物に切断する工程、補助掛止片をマンホール内部に臨ませて、水平方向に伸縮するシリンダーとピトンロッドによる係止箇所への伸長爪との係脱工程、前記シリンダーとピトンロッドを保護し、垂直方向への耐荷重力を備えた伸縮摺動自在の内外二重のパイプによる杠上手段による杠上工程とにより成ることを特徴とする除去リフト工法。
【発明の効果】
【００１７】
本発明によれば、マンホール蓋枠の周辺を円弧状ないし曲面状カッターを用いて円形かつ円球状の切断処理を行った後、棒杆状本体を上部に載置し、溝孔に沿って掛止片を移動させて、この掛止片の先端を、マンホール蓋枠内の内側に直接または伸長爪を備えた補助掛止片を介して、掛止可能位置に掛止させて位置決めしてから、端部の杠上用の掛止部と路面との杆に手押しジャッキなどの杠上手段を介在させ、この杠上手段を操作させて棒杆状本体を水平な路面に対して傾斜させることにより、環状の除去物は未切断箇所がテコの原理で簡単に剥取されて可傾状態とすることができる。すなわち、棒杆状本体に対しては単に上方への引上げ力だけでなく、横方向への切断面での摺動作用を受けるので、力が分散して比較的杠上力の小さな作用力で接合面は剥離され一つの塊となるので、既にカッターにより切断された切断面と、未切断箇所とが繋がり、完全に一つの塊のドーナツ状の除去物として地面と分離される。したがって、この一つの塊をロープなどの吊下紐を用いて一つの除去物の重力に対応した持ち上げ力によって杠上して、全体として小さな引上げ力で除去できる。
【００１８】
しかも、塊状の除去物は切断された路面の円弧状凹状表面に沿って摺動させ乍ら引上げができるなど軽量小型の杠上機械で能率よく作業できる。
【００１９】
さらに本発明によれば、舗装工法，オーバーレイ工法，切削オーバーレイ工法などにおける初期のマンホール蓋枠を含む平面円形で立体球面状の切断面を有する環状の除去物に対しては勿論のこと、中間工程のマンホール蓋枠のない同形の他の環状の除去物の廃棄に対しても同様に実施できる。
【図面の簡単な説明】
【００２０】
【図１】（ａ）は未使用の状態の全体の側面図、（ｂ）は（ａ）の平面図で、各図に示す２点鎖線図は使用状態を示す路面とマンホール蓋枠の外略を示す。
【図２】（ａ）は補助掛止片の平面図、（ｂ）はその側面図で、いずれも掛止片の掛止部の掛止関係を図示付加してある。
【図３】補助掛止片を用いない場合の他側を示す側面図
【図４】杠上手段を働かせた場合の塊状の除去物が傾斜した状態を示す断面図であって、（ａ）は環体を用いて除去物を吊上げている状態を示す断面図、（ｂ）はスリングベルトをくぐらせて牽引する状態を示す断面図
【図５】他の実施例を示す補助掛止片の一部断面側面図
【図６】図５の平面図で、離開して吊りボルトの正面図を示す。
【図７】図５のＶＩＩ−ＶＩＩ線縦断面図
【図８】切削オーバーレイ工法に用いる場合の断面説明図を示し、（ａ）は養生板に中間材を介在させた場合、（ｂ）は養生板を下桝躯体に直接設けた場合を示す
【図９】（ａ），（ｂ）は図８に示す切削オーバーレイ工法の施工過程の断面説明図
【図１０】（ａ），（ｂ）は図９に示す切削オーバーレイ工法の施工過程の断面説明図
【符号の説明】
【００２１】
１    棒杆状本体
２    溝孔
３    掛止片
４    伸長爪
５，５Ａ    補助掛止片
５ａ  油圧パイプ
５ｂ  油圧シリンダー
５ｃ  ガイド管杆
５ｄ  ピストンロッド
５ｅ，５ｆ  内外二重の大小パイプ
６    引掛孔
６ａ  枠部
７    掛止部
８    螺子部
９    ハンドル
１０    止螺環
１１    止板
１２    掛止部
１３    杠上手段
１４    止環
１５    滑車
１６    軸
１７    支持板
１８    吊りボルト
１８ａ  爪部
１９    螺杆部
２０    螺管体
２１    吊輪部
２２    下桝躯体
２３    中間材
２４ａ，２４ｂ    養生板（中当て体）
２５    充填物
２６    舗装路面
２７    小孔
２８    係止孔
Ｂ，Ｂ１    除去物
Ｃ    切断面
Ｃｘ  未切断箇所
Ｈ    マンホール孔
Ｋ    掛止箇所
Ｌ    路面
Ｍ    マンホール蓋枠
Ｒ    ロープ
Ｘ    切削線
【発明を実施するための最良の形態】
【００２２】
以下本発明を実施するための最良の形態を、実施例により詳しく説明する。
【実施例】
【００２３】
以下、本発明の実施例を図１ないし図４と共に説明する。
【００２４】
１は、所望金属材料で形成した棒杆状本体、２はこの棒杆状本体１の中心線に沿って縦方向に形成される溝孔、３はこの溝孔２に挿通されて縦方向に自由自在に移動可能の１以上の掛止片であって、図示では２個設けてある。
【００２５】
そして、掛止片３はボルト構造を有し、その下端に、マンホール孔Ｈの内壁に装架させた相対向する左右一対の伸長爪４，４を備えた補助掛止片５の引掛孔６と、着脱自在に掛止できる掛止部７を備えており、マンホール孔Ｈの所望の掛止箇所Ｋと係合させた前記補助掛止片５と確実に掛止させることができる（図２（ａ），（ｂ）参照）。なお、前記補助掛止片５は、例えば油圧ポンプよりの油圧パイプ５ａにより、油圧シリンダー５ｂの働きで一対の伸長爪４，４をガイド管杆５ｃで案内され乍ら矢符方向に伸長させて、マンホール孔Ｈの内壁の掛止箇所Ｋと掛止固定させることができる。
【００２６】
また、掛止片３はその下端の掛止部７を鈎状に形成して、前記掛止箇所Ｋと直接に掛止させることもできる（図３参照）。ついで上端には螺子部８を刻設し、ハンドル９を備えた止螺環１０を螺合させてあり、かつ溝孔２と掛止できるワッシャーのような止板１１を備える。さらに、図示しないが、前記掛止部７は、マンホール蓋枠の内面に設けられている取手状の止環部に掛止めさせて使用することもできる。
【００２７】
１２は、棒杆状本体１の一端に突設した掛止部であり、路面Ｌの表面に載置される杠上手段１３を介在させることができる。図示では小型の手こぎ式のジャッキを示しているが、足踏式のものなど、好みの構成のものを用いることができる。１４は棒杆状本体１の両側に設けた吊下げロープの結束用の止環、１５は棒杆状本体１を持ち運ぶための路面などで転動できる滑車、１６はこの滑車１５の軸、１７は軸１６に設けた支持板を示す。
【００２８】
以下に作用を説明する。
【００２９】
まず、マンホール蓋を支持するマンホール蓋枠Ｍおよびその周辺の路面Ｌに対し、円弧状ないしは曲面状カッターを用いて予めマンホールの中心を中心として３６０度回転させて、マンホール蓋枠Ｍおよびその周辺の路面を平面円形かつ立体的には凹または凸の曲面状の切断面Ｃを形成して置く。この切断面Ｃに対しマンホール孔Ｈの下桝躯体２２との間には、僅かに未切断箇所Ｃｘが存在する。この未切断箇所Ｃｘは切断面Ｃの内周方向に沿って環状に形成される。このようなカッターによる切断処理を終えた時点で、マンホール孔Ｈの内壁の掛止箇所Ｋに補助掛止片５をその左右の伸長爪４，４を係入させて固定する。ついで、棒杆状本体１をマンホール蓋枠Ｍ上の略中央箇所に配置する。
【００３０】
そして、棒杆状本体１の２本の掛止片３，３の掛止部７，７を引掛孔６，６と確実に掛止させた後、掛止片３，３の上部に螺合させた止螺環１０をハンドル９を用いて確固に掛止させる。
【００３１】
ついで、棒杆状本体１の端部に設けた掛止部１２と路面Ｌとの間に手こぎ式のジャッキの杠上手段１３を介装し、作業者による手作業でジャッキの高さを上昇させ、切断面Ｃで切断されているマンホール蓋枠Ｍおよびその周辺の路面より成る一つの腕曲状のドーナツ構造の塊状の除去物Ｂの未切断箇所Ｃｘをジャッキの働きにより摺動切断してジャッキと反対側を支点として曲面状の切断面Ｃに沿って傾斜させ乍らジャッキ側の除去物Ｂを浮き上がらせた状態に杠上させることができる。
【００３２】
この状態において、図４（ａ）のように、棒杆状本体１の止環１４に同様にロープＲを結束して、除去物Ｂの重量に応じた持ち上げ力によって機械的に杠上して外部に取除くことができる。
【００３３】
また、図４（ｂ）のように切断面Ｃの間隙Ｇを用いてスリングベルトＶを挿通くぐらせて捲回して、載置させてある棒杆状本体１を取外してから、このベルトＶを除去物Ｂの重量に応じた持ち上げ力によって外部に持ち上げて取除くことができる。
【００３４】
図示しないが、未切断箇所Ｃｘを切断した後は、一つの塊の除去物Ｂの杠上除去は、好みの作業で行うことができる。
【００３５】
以上、本発明の一実施例を説明したが、なお、掛止片３は補助掛止片５を介在させないで、図３に示すように、その下端に鈎状の掛止部７をマンホール孔Ｈの掛止箇所Ｋに確実に係入させ、掛止片３の上部を固定させて、前記したと同様に杠上手段１３によりドーナツ状の塊状の除去物Ｂを可傾させて未切断箇所Ｃｘを剥取させることができる。さらに、最近のマンホール蓋枠の内壁に設けられる取手状の枠が設けられている場合には、この枠に掛止片３の掛止部７をフック状に形成して掛止めして固定させても実施できる。
【００３６】
ところでマンホール蓋は、一般に、６００ｍｍ，７５０ｍｍ，９００ｍｍ等が代表的であるが、設置場所によってその径の大きさが種々異なり、したがって廃棄される除去物Ｂの重量も大小異なるので、重量の軽い小径の小型のマンホール用では掛止片３は一個で十分であるが、長径の大型のマンホール用には安全性を考慮すれば２個の掛止片３を用いた方が好ましい。
【００３７】
なお、図３に示すように、補助掛止片５を用いないで直接２個の掛止片３を用いる場合には、図示していないが、両鈎部状の掛止部７，７間に間隔保持体を設けて、不用意に、作業中外れないようにすることができる。
【００３８】
さらに杠上手段１３は、図示に示す手こぎ式や足踏式の構成のもの以外に油圧などによる遠隔制御をさせることもできる。
【００３９】
しかも小型の杠上手段１３、即ち手こぎ式ジャッキなどは、棒杆状本体１上に載置させて、棒杆状本体１と一体にして滑車１５を利用して自由に持ち運びできる。
【００４０】
そして、この杠上手段１３は、平坦な道路は勿論のこと、坂道などに設けられた道路の補修の際のマンホール補修にも同様に適用できる。
【００４１】
なお、本発明については、マンホール蓋の蓋枠にボルトを植設した場合を示していないが、この場合はマンホール孔側より任意のカッター装置により予めボルトを切断して置くことは勿論である。
【００４２】
つぎに、本発明のさらに他の実施例について図５ないし図７について説明する。
【００４３】
この実施例は、前記実施例の補助掛止片５に変更を加えたものである。
【００４４】
油圧ポンプなどで操作される油圧パイプ５ａの油圧シリンダー５ｂとピストンロッド５ｄを、断面角状の互いに摺動する強靭な大小パイプ５ｅ，５ｆで抱止させ、油圧シリンダー５ｂ、ピストンロッド５ｄには専ら水平方向の伸長爪４，４の伸長と縮少のみを働かせ、マンホールの除去物Ｂを杠上させるための荷重は専ら角型の内外二重のパイプ５ｅ，５ｆに負担させて、役割を分割させた構成を前記実施例と異ならせたことを特徴とするものである。
【００４５】
その他、引掛孔６と係入係止する掛止部７を備えた掛止片３は、前記実施例と同一の構成であり、同一の棒杆状本体１を利用した杠上作用も全く同様に実施できる。なお、引掛孔６は角型の内外二重のパイプ５ｅ，５ｆ上に枠部６ａを設けて形成してある。
【００４６】
この実施例においては、一対の引掛孔６に対して、図６に示す吊りボルト１８を用いることができる点が新たな変更を加えた構成である。
【００４７】
すなわち、吊りボルト１８は、前記一対の引掛孔６に係入できる爪部１８ａを下端に有し、螺杆部１９を備え、この螺杆部１９と螺合する摘子を有する螺管体２０を設け、頂部に引用上の吊輪部２１を備えた構成である。
【００４８】
この吊りボルト１８を除去物Ｂと係止させた補助掛止片５Ａに直接係止させて、直接杠上させることができる場合は、棒杆状本体１の使用を省くことができる。
【００４９】
要するに第２の実施例では水平方向に働くマンホール蓋内壁側の係止力は専ら構造強度の弱い油圧シリンダー５ｂ、ピストンロッド５ｄに行わせ、杠上という重量の大きな除去物に対しては強固な角状パイプ５ｅ，５ｆに行わせて力を分散させているので、無理なく円滑に除去物の撤去を行わせることができる。
【００５０】
以上、本発明の実施例を説明したが、棒杆状本体１は、単に既設のマンホール蓋枠の周縁の路面を環状に切截して、一つの腕曲状のドーナツ構造の塊状の除去物Ｂを、掛止片３を用いて係止して打上させて撤去するだけに用いることの外、図８（ａ），（ｂ）ないし図１０（ａ），（ｂ）に示すように、例えば、本発明者が提案した特許第３６４４９４９号の切削オーバーレイ工法における除去物Ｂの撤去後の円球状の切断面Ｃに下桝躯体２２上に直接または他の中間材２３を介して介装させた養生板（中当て体）２４ａ，２４ｂに埋設させた充填物２５と、マンホール周辺の旧路面を切削線Ｘに沿って切削して、上部に舗装した新しい路面２６とで構成される第２の除去物Ｂ１についても、円弧状ないし曲面状カッターを用いて、マンホールの中心を中心として第１回目の切断箇所と略一致させ、３６０度回転させてマンホール蓋枠用に予備的に埋設させた新しい路面を切断して形成できる。この場合、マンホールの中心位置は予めマーキング処理を施して置いて、新たな舗装路面２６を切断するためのカッターの中心位置を簡単に知ることができる。
【００５１】
そして、除去物Ｂ１の中心位置にコアボーリングマシンを臨ませてくりぬき、小孔２７を形成し、養生板２４に予め設けた係止孔２８を露出させる（図９（ａ），（ｂ）参照）。なお、図９（ａ）では、小孔２７は中心の一箇所であるが、その左右２箇所の係止孔２８に通ずる小孔を、同様にコアボーリングマシンでくり抜いて３箇所に設けることもできる（図示せず）。そして２箇所ないし３箇所の係止孔２８を用いて掛止片３を介して、棒杆状本体１を利用して除去物Ｂ１を杠上除去できる。
【００５２】
この状態において、棒杆状本体１を、第２の除去物Ｂ１の中央に配置し、掛止片３を溝孔２の中央に臨ませ、掛止片３の下端に設けた掛止部７を、養生板２４ａ，２４ｂに係合させ、掛止片３の上端の螺子部８に螺合させた止螺環１０を回転させ、掛止片３を棒杆状本体１に確固に固定させて、杠上手段１３による可傾リフト処理や止環１４を用いたロープによる持ち上げ手段で、前記したと同様に第２の除去物Ｂ１を除去することができる。
【００５３】
さらにまた、本発明によれば、上記特許第３６４４９４９号に示される他の工法即ちオーバーレイ工法におけるオーバーレイ処理後の円弧状ないし曲面状カッターによるマンホール箇所の切截される環状のドーナツ型の切除物の除去並びに舗装工法における同型のドーナツ型の除去物の除去に対しても同様に実施施工できる。
【００５４】
つぎに各実施例に示し、かつ図示された棒杆状本体１の一側に設けた掛止部１２は、外方に突出させた構成であるが、外方ではなく内方に凹設した掛止部として、爪付のジャッキを用いて同様に除去物Ｂ，Ｂ１を可傾杠上させることができる。
【図１】
2010144509.tif 000003
【図２】
2010144509.tif 000004
【図３】
2010144509.tif 000005
【図４】
2010144509.tif 000006
【図５】
2010144509.tif 000007
【図６】
2010144509.tif 000008
【図７】
2010144509.tif 000009
【図８】
2010144509.tif 000010
【図９】
2010144509.tif 000011
【図１０】
2010144509.tif 000012